(57)【要約】【課題】インテリア性に優れ、基本的な部材を統一して種々の使用態様を選択できると共にワイヤーの長さを自由にかつ手軽に調整することができる家具転倒防止装置の提供。【解決手段】レール２、アンカー金具３、ワイヤー４、結合金具５、取付け金具６及び吊金具７を備える。アンカー金具３にワイヤー基部が係合されると共にワイヤー先端に結合金具５が取付けられる。レール２は前面ガイド溝１０と下面ガイド溝１１を有する。アンカー金物３を前面ガイド溝１０へスライド及び固定可能とする。取付け金具６は結合金具５を連結する部分を有する。下面ガイド溝１１に吊金具７がスライド可能に取付けられる。【選択図】図１
0003122288.tif 000002
【実用新案登録請求の範囲】
【請求項１】
レール、アンカー金具、ワイヤー、結合金具、取付け金具及び吊金具を備え、アンカー金具にワイヤー基部が係合されると共にワイヤー先端に結合金具が取付けられ、レールは前面と下面にレールの長手方向へガイド溝を備え、アンカー金物は前面ガイド溝に係合してスライド及び選定した位置に固定可能とされ、取付け金具は結合金具を連結する部分を有しており、下面ガイド溝に吊金具をスライド可能に取り付けてあることを特徴としたワイヤーを用いた家具転倒防止装置。
【請求項２】
取付け金具が家具への取付け板と組み合わされて一体に用いられることを特徴とした請求項１に記載のワイヤーを用いた家具転倒防止装置。
【請求項３】
レール、２個のアンカー金具、ワイヤー、結合金具及び吊金具を備え、一方のアンカー金具にワイヤー基部が係合されると共にワイヤー先端に結合金具が取付けられ、レールは前面と下面にレールの長手方向へガイド溝を備え、アンカー金物は前面ガイド溝に係合してスライド及び選定した位置に固定可能とされ、他方のアンカー金物は取付け金物として結合金具を連結する部分を有しており、下面ガイド溝に吊金具をスライド可能に取り付けてあることを特徴としたワイヤーを用いた家具転倒防止装置。
【請求項４】
結合金具は手動操作でワイヤーの把握状態を解除できるチャック機構による長さ調整機構を備えていることを特徴とした請求項１〜３のいずれか一つに記載のワイヤーを用いた家具転倒防止装置。
【請求項５】
結合金具は取付け金具に対して先端を基点とし、取付け金具により制限を受ける側を除いて放射状に自由な方向を向くことができることを特徴とした請求項１〜４のいずれか一つに記載のワイヤーを用いた家具転倒防止装置。
【請求項６】
結合具と取付け金具の連結はボール関節結合であり、ボールとして取付け金具本体にねじ込んだビスの頭が用いられていることを特徴とした請求項１〜５のいずれか一つに記載のワイヤーを用いた家具転倒防止装置。
【請求項７】
ワイヤーをステンレスワイヤーとしてあることを特徴とした請求項１〜６に記載のワイヤーを用いた家具転倒防止装置。
【請求項８】
アンカー金物は、フランジ部とねじ部とからなる雄ねじ部材と、前記のねじ部に螺合する雌ねじ部材とからなり、フランジ部と雌ねじ部材とでレールの前面壁を挟みつけてレールに固定するものであり、フランジ部は前面ガイド溝の幅よりも狭い横寸法と前面ガイド溝の幅よりも大きな縦寸法を備えたレールへの差込み係合部材となっていることを特徴とした請求項１〜７のいずれか一つに記載のワイヤーを用いた家具転倒防止装置。
【請求項９】
吊金具は、手動でワイヤーの把握状態を解除できるチャック機構による長さ調整部材と、長さ調整部材の一端に取付けたフック部材及び一端をボール状の係合部に形成した吊ワイヤーとを備え、係合部はレールにおける下面ガイド溝に係合してレールの長手方向へスライド可能な大きさとしてあることを特徴とした請求項１〜８のいずれか一つに記載のワイヤーを用いた家具転倒防止装置。
【考案の詳細な説明】
【技術分野】
【０００１】
この考案は、地震で家具が転倒したり、暴走するのを防止するワイヤーを用いた家具転倒防止装置に関する。
【背景技術】
【０００２】
地震の際に家具が転倒したり暴走するのを防止する道具や装置は、種々のものが知られている（特許文献１）。これによれば、壁に固定したレールと家具をワイヤーを利用して結合することにより家具の転倒を防止する装置が従来から存在する。
【０００３】
【特許文献１】特開平９−１００５５号公報
【考案の開示】
【考案が解決しようとする課題】
【０００４】
しかし、従来の家具転倒防止装置のレールは、ワイヤーを結合するためにだけ用いられており、加えてワイヤーの長さも定まっているので、家具の背丈に応じてレールを取り付ける位置を変えなければならず、その結果、レールが何段にも見えて室内の雰囲気（インテリア）を損なうことがある。すなわち、個々の部材は使用の態様が定まっているものが多く、家具の転倒を防止する方法に融通性が乏しい。ワイヤーと家具の固定にビスで止める金具を利用するものでは、傷をつけたくない大事な家具に使用することができない。さらに、ワイヤーの長さや方向を自由に調整したり、設定するのに困難なものが多い。
【０００５】
この考案は、高い強度を備えながらインテリア性に優れ、また、基本的な部材を統一して種々の使用態様を選択できると共に家具の寸法に合わせてワイヤーの長さや取付け位置を調整するなど、自由にかつ手軽に調整することができる家具転倒防止装置の提供を課題とする。
【課題を解決するための手段】
【０００６】
レールに家具転倒防止のための機能に加え、いわゆるピクチャーレールとしての機能を複合する。レールと家具とをステンレスワイヤーなど細くて靭性に富む素材で結合することにより、ワイヤーがインテリアを阻害する要因を縮小し、また、衝撃に強い家具転倒防止装置とする。
転倒防止のための装置構成を基本的に、レール、アンカー金具、ワイヤー、結合金具、取付け金具及び吊金具で構成する。そして、用い方に応じて家具への取付け板などを付加使用する。
ワイヤーの方向や長さを手軽にかつ自由に調整できるものにする。
【考案の効果】
【０００７】
ワイヤーの長さ調整機能を備えるので、壁に設置する一本のレールで同じ壁面の高低差のある家具に適応でき、インテリアを損なうことが少ない。
レール側のアンカー金物の着脱が容易なことで、家具の配置を簡単に調整したり、移転したりすることができる。
レールとワイヤーに緩衝性があるので、地震時のショックをレールとワイヤーで緩衝することができる。
ピクチャーレールとしての機能を複合することでレールの用途が増すと共に、ピクチャーレールとしての使用でレールがインテリアに溶け込み、違和感が和らげられる。
用い方が異なっても装置としての基本的な構造が共通するので、装置として多種類の部品を準備しておく必要がない。
ワイヤーの長さを道具など使わずに手軽かつ自由に設定できるので、使いやすい。
ワイヤーの方向が自由に定まるので、ワイヤーに無理な力が作用せず、切断される恐れが少ない。
【考案を実施するための最良の形態】
【０００８】
図１はワイヤーを用いた家具転倒防止装置１の実施例１であり、レール２、アンカー金具３、ワイヤー４、結合金具５、取付け金具６及び吊金具７を備える。取付け金具６は家具８（図９）への取付け板９と組み合わされている。なお、吊金具7は家具の転倒防止については直接の関係がない。
レール２は、金属、合成樹脂などの丈夫な素材を成形してあり、断面Ｇ字状である。レール２は上段と下段に分かれ、前面と下面にガイド溝（前面ガイド溝１０、下面ガイド溝１１）を長手方向に備える。前面ガイド１０は上段にあり、下面ガイド溝１１は下段にある。
【０００９】
アンカー金具３は、図３〜５のように、雄ねじ部材１２と雌ねじ部材１３及びばね１４と樹脂ワッシャー１５とからなる。雄ねじ部材１２はフランジ部１６とねじ部１７とからなり、フランジ部１６に、レール２の前面ガイド溝１０とほぼ同じ幅で平行な段差１８が形成され、また、フランジ部１６（図４）とねじ部１７に貫通してワイヤー挿通孔１９が形成されている。段差１８の面と直交する側の面は平らに切断され、その横寸法ｄ１は、レール２の前面ガイド溝１０の上下幅よりも若干小さい程度とされている。縦寸法ｄ２はレール２の前面ガイド溝１０の上下幅よりも大きい。このため、アンカー金具３は、レール２に対して前面ガイド溝１０のどの位置からでもレール２の内部へ差し込むことができ、そこから９０°回転させることでレール２へフランジ部１６を係合させることができる。すなわち、フランジ部１６は、前面ガイド溝１０の幅よりも狭い横寸法と前面ガイド溝１０の幅よりも大きな縦寸法を備えた、レール２への差込み係合部材となっている。
【００１０】
ワイヤー挿通孔１９はフランジ１６側で太く形成されている（図４）。雌ねじ部材１３の頂点部分（底部）には内部へ貫通したワイヤー挿通孔２０が形成され、このワイヤー挿通孔２０は雌ねじ孔となっている。このため、図５のように、ワイヤー４を挿通しないときは、ビス２１をねじ込むことができる。
【００１１】
ワイヤー４は、この実施例において、１．５φの細いステンレスワイヤーである。細くて目立たず、しかも、強度に優れ靭性（ばね性）がある。基端側には５．０φ程度の大径部４ａ（図４）を作っておく。また、人体への危険防止と家具との接触箇所で家具を傷つけないために透明な合成樹脂チューブ４ｂを全長にわたり装着しておくことがある。
【００１２】
結合金具５は、図６〜８に示すように、チャック部２２と結合部２３とからなり、これらを軸方向に貫通してワイヤー挿通孔２４が形成されている（図７）。チャック部２２は、基部２５と雄ねじ部２６を備えた全体としては雄ねじ部材であり、基部２５の底部にリリースパイプ２７とワイヤー４がスライド可能に挿通されると共に、基部２５から雄ねじ部２６にかけて形成した大径孔部にチャック駒２８と押圧ばね２９が納められ、常時は押圧ばね２９によって結合金具５にワイヤー４が捕捉された（固定された）状態となっている。この捕捉状態はリリースパイプ２７を外側から内部へ押し込むことによって解除することができる。
【００１３】
結合部２３は筒体で、頂部が半球状に形成され、この部分に縦方向の摺り割り３０（図６、図８）を有する。結合部２３は、筒体の内面に雌ねじが形成された全体として雌ねじ部材である。摺り割り３０の対向した内面はそれぞれ半球状の凹部となっていて筒体の先端内側に球状の空間を形成している。これにより、チャック部２２に結合部２３をねじ込んで一体とすることができる（図７）。
【００１４】
取付け金具６は、図６の例では、低い円錐台形の本体３１の底部に係合のための縁３１ａを有し（図５ロ）、頂面は半球状の凹部３２となっている。凹部３２の径は、結合部材５における結合部２３の半球状をした頂部を受け入れる大きさとなっている。そして凹部３２には、雌ねじ３３が垂直に貫通して形成され、これにビス３４がねじ込まれている。このビス３４は、アンカー金具３におけるビス２１（図５イ）と同様のものである。すなわち、アンカー金具３は、ビス２１を取付けることで取付け金具６となり得る（図８ロ）。
取付け金具６は、取付け板９に設けた挿入孔３５（図６）に下方から差込んで組合わせ、取付け板９を家具へ固定するとき同時に固定される。
【００１５】
結合金具５と取付け金具６は、取付け金具６に取付けたビス３４（２１）の頭を結合金具５の摺り割り３０に設けた球状空間へ押し込むことにより連結する（図８イ、ロ）。すなわち、ビス３４（２１）は、結合金具５を取付け金具６へ結合するための連結部分であり、両者の結合構造は、これらビスの丸い頭部をボールとしたボール関節結合である。
吊金具７（図３）は、フック３６とその頂部の水平回転ローラー３７とからなり、レール２の下面ガイド溝１１へ、レール２の端部からスライド可能に装着される。
【００１６】
さて、図９は、ワイヤーを用いた家具転倒防止装置１を用い、地震の振動に対して家具を固定した例である。
まず、レール２を壁に固定する。固定する位置は家具と天井の間で、取付け後のワイヤー４が水平面となす角度が１５°程度の鋭角になるような位置が好ましい。同じ壁面に複数の家具８があって高低差のあるときは、高い家具８の高さを基準とする。
アンカー金具３にワイヤー４を挿通してその一端の大径部４ａを係合させ（図４イ）、雄ねじ部材１２に対して雌ねじ部材１３を少し緩めた状態で、フランジ部１６を横にして前面ガイド溝１０からレール２にアンカー金具３をはめ込み、フランジ部１６を９０°回転させる。すると、フランジ部１６と雌ねじ部材１３とでレール２の前面壁を挟みこむ格好となる（図４ロ）。雌ねじ部材１３を適度に締め付けてアンカー金具３をレール２に係合させる。
【００１７】
ついで、ワイヤー４の先端を結合金具５に挿通する。結合金具５は取付け金具６とすでに連結されており、取付け金具６は、取付け板９と一体に組み合わされている。結合金具５へワイヤー４を挿通するときはリリースパイプ２７を押し込んでチャックを緩めた状態で行う。余分のワイヤー４は、結合金具５の摺り割り３０から外部に引き出された状態となる（図１、図８イ、ロ）。これをレール２の長手方向に２個準備する。
【００１８】
家具８の頂面であって、その前縁角部に取付け板９を家具の見付け寸法に応じた適切な間隔で配置し、ビスでしっかりと固定する。この位置は、家具８の軸組を構成する軸材が集中する箇所であり、家具８において強度の高い部分である。ついで、アンカー金具３をレール２の前面ガイド溝１０に沿ってスライドさせ、取付け板９と対応した位置とする。そして、その位置でアンカー金具３の雌ねじ部材１３を本締めし、アンカー金具３をレール２に固定する。固定状態は、樹脂ワッシャー１５とばね１４のゆるみ止め作用により、確実なものとなる。そして、結合金具５のリリースパイプ２７を押し込みながらさらにワイヤー４を引き出し、ワイヤー４のたるみを取ることで作業が終了する。これにより、取付け金具６に対する結合金具５の方向が定まるが、取り付け金具６に対して結合金具５は半球状の凹部３２と半球状の頂部の接触なので、結合金具５の方向は、結合金具５の先端を頂点として取り付け金具６により制限を受ける側を除いて放射状に自由な向きを取ることができる。
【００１９】
レール２に対してアンカー金具３はフランジ部１６の縦幅、横幅の寸法により、前面ガイド溝１０のどの位置からでも装着できるのでレール２に対するワイヤー４の取り付けが簡単であり、また、チャック機構により、ワイヤー４の長さ調節なども簡単に行える。
最後にレール２の下面ガイド溝１１に装着してある吊金具７へ絵などの額縁や時計などを取り付け、家具８を含めた壁面全体のデザインを整える。これによって、レール２はデザインの一部となって溶け込み意識されにくくなる。
【００２０】
図２と図１０は、ワイヤー４を用いた家具転倒防止装置１の実施例２であり、仏壇や桐ダンスなど重要な家具であるためビス止めにより傷付けるのが忍びなかったり、素材が弱く効果的なビス止めを期待できない家具８に対する固定の方法を説明している。
レール２は、家具８の頂面に近接させて、壁に固定する。
アンカー金具３にワイヤー４の一端である大径部４ａを係合させ、ワイヤー４の他端を、もう一つのアンカー金具３（取付け金具６として機能させる）と連結させた結合金具５に挿通し取り付けておく。
【００２１】
一方のアンカー金具３をレール２に係合させ、そこからワイヤー４を家具８の上方縁部に鉢巻状にぐるりとまわして、他方のアンカー金具３をレール２に係合させる。そして、位置決めの後、それぞれのアンカー金具３をそれぞれ本締めしてレール２に固定し、ついで、結合金具５を操作してワイヤー４のたるみを調整する。
ワイヤー４が家具８と接触する箇所には、ワイヤー４に装着した合成樹脂チューブ３８をあてがい家具８に傷がつくのを防止する。
【００２２】
図１１は、吊金具７に関する他の例であり、手動でワイヤー４の把握状態を解除できるチャック機構による長さ調整部材３９と、長さ調整部材３９の一端に取付けたフック部材４０及び一端をボール状の係合部に形成した吊ワイヤー４１とからなる。調整部材３９は、前記の結合金具５と同様の構造を有するもので、内部にチャック機構とリリースパイプを有し、吊ワイヤー４１の一端が貫通できる。フック部材４０は調整部材３９にぶら下がって状態で取付けられたものであり、調整部材３９に対して揺動することができる。
吊ワイヤー４１は、ワイヤー４と同様に細く丈夫なものであるが、短く、一端にボール状の係合部４２を有している。係合部４２はレール２における下面ガイド溝１１に係合し、そのままレール２の長手方向へスライド可能な大きさとしてある。
チャック機構を利用して、吊ワイヤー４１の長さを調整し、絵などを最適な位置に吊り下げることができる。
【００２３】
以上、実施例について説明した。
アンカー金具３は、レール２に沿ってスライドと固定できるもので、ワイヤー４の一端を取り付けたものであればよい。
ワイヤー４の太さ、素材は選択できるが、細く強いものが好ましい。
結合金具５は、取付け金具６と連結できると共にアンカー金物３からのワイヤー４の長さを調整できるものであればよい。
吊金具７は、レール２の下面ガイド溝１１をスライドして移動できるものであればよい。
レール２、アンカー金具３、ワイヤー４など各部品の色彩は、インテリアの状況に応じて選択されるべきである。
【図面の簡単な説明】
【００２４】
【図１】装置の全体を示した斜視図（実施例１）。
【図２】装置の全体を示した斜視図（実施例２）。
【図３】アンカー金具と吊金具を説明するための斜視図。
【図４】イはアンカー金具の断面図、ロは、取付け状態の断面図（実施例１）。
【図５】取付け金具の断面図、イは実施例１、ロは実施例２（取付け金具としてのアンカー金具）。
【図６】イは、連結した状態の結合金具と取付け金具の斜視図、ロは分解して示す斜視図。
【図７】結合金具の断面図。
【図８】連結した状態の結合金具と取付け金具の断面図、イは実施例１、ロは実施例２。
【図９】使用状態を示す斜視図（実施例１）。
【図１０】使用状態を示す斜視図（実施例２）。
【図１１】吊金具の他の例を示す斜視図。
【符号の説明】
【００２５】
１  ワイヤーを用いた家具転倒防止装置
２  レール
３  アンカー金具
４  ワイヤー
４ａ  大径部
５  結合金具
６  取付け金具
７  吊金具
８  家具
９  取付け板
１０  前面ガイド溝
１１  下面ガイド溝
１２  雄ねじ部材
１３  雌ねじ部材
１４  ばね
１５  樹脂ワッシャー
１６  フランジ部
１７  ねじ部
１８  段差
１９  ワイヤー挿通孔（雄ねじ部材）
２０  ワイヤー挿通孔（雌ねじ部材）
２１  ビス
２２  チャック部
２３  結合部
２４  ワイヤー挿通孔
２５  基部
２６  雄ねじ部
２７  リリースパイプ
２８  チャック駒
２９  押圧ばね
３０  摺り割り
３１  本体
３１ａ  係合のための縁
３２  凹部
３３  雌ねじ
３４  ビス
３５  挿入孔
３６  フック
３７  ローラー
３８  合成樹脂チューブ
３９  長さ調整部材
４０  フック部材
４１  吊ワイヤー
４２  係合部
【図１】
0003122288.tif 000003
【図２】
0003122288.tif 000004
【図３】
0003122288.tif 000005
【図４】
0003122288.tif 000006
【図５】
0003122288.tif 000007
【図６】
0003122288.tif 000008
【図７】
0003122288.tif 000009
【図８】
0003122288.tif 000010
【図９】
0003122288.tif 000011
【図１０】
0003122288.tif 000012
【図１１】
0003122288.tif 000013